(57)【要約】【課題】安価で製造工程の煩雑化を招くことのない受光装置を提供する。【解決手段】受光装置１０は、設備機器１１の動作を制御するための光信を受光する受光素子２９が取り付けられた回路基板２６を覆う防水性のポッティング材２７を備える。受光素子２９は、その受光部２９ａを含み、その全体がポッティング材２７で覆われている。【選択図】　図２
2004014926.tif 000002
【特許請求の範囲】
【請求項１】
設備機器の動作を制御するための光信号を受光する受光素子を取り付けた回路基板を防水性のポッティング材で覆った受光装置であって、前記受光素子の受光部とともにその受光素子を前記ポッティング材で覆ったことを特徴とする受光装置。
【請求項２】
前記回路基板がケース内に配置されるとともに前記受光部が前記ケースの内壁面に近接して配置され、前記ケース内に前記ポッティング材を充填して前記受光素子および受光部を覆ったことを特徴とする請求項１に記載の受光装置。
【請求項３】
前記ケースの内壁面と前記受光部との間隔は２ｍｍ以下であることを特徴とする請求項２に記載の受光装置。
【請求項４】
前記受光部は凸形状であり、前記内壁面には、前記受光部に対向して凹部が形成され、前記受光部を前記凹部に挿入していることを特徴とする請求項２に記載の受光装置。
【請求項５】
前記内壁面には、前記受光部に向けて突出する段部が形成されていることを特徴とする請求項２に記載の受光装置。
【請求項６】
設備機器の動作確認または誤動作を点灯表示するための発光素子を取り付けた回路基板を防水性のポッティング材で覆った表示装置であって、前記発光素子の先端部とともにその発光素子を前記ポッティング材で覆ったことを特徴とする表示装置。
【請求項７】
前記回路基板がケース内に配置されるとともに前記発光素子が前記ケースの内壁面に近接して配置され、前記ケース内に前記ポッティング材を充填して前記発光素子を覆ったことを特徴とする請求項６に記載の表示装置。
【請求項８】
前記ケースの内壁面と前記発光素子の先端部との間隔は２ｍｍ以下であることを特徴とする請求項７に記載の表示装置。
【請求項９】
前記内壁面には、前記発光素子の先端部に対向して凹部が形成され、前記先端部を前記凹部に挿入していることを特徴とする請求項７に記載の表示装置。
【請求項１０】
前記内壁面には、前記発光素子の先端部に向けて突出する段部が形成されていることを特徴とする請求項７に記載の表示装置。
【発明の詳細な説明】
【０００１】
【発明の属する技術分野】
本発明は、受光装置あるいは表示装置に関し、例えば、浴室乾燥機のような機器の動作を光信号によって遠隔操作するために使用される受光装置あるいは表示装置に関する。
【０００２】
【従来の技術】
電気機器の遠隔操作のために赤外線を用いる方法がある。赤外線により制御される電気機器には、赤外線を感知するための受光装置が組み込まれる。浴室に設置される浴室乾燥機のような設備機器の受光装置は、透光性を有するケースの内壁面にこれと一体的に形成された一端が開放する筒状の格納部と、受光素子が取り付けられた回路基板とを備える。この回路基板は、その受光素子が前記格納部に挿入されるように、ケース内に配置される。また、回路基板は、該回路基板と格納部との間に、この間から防水性のポッティング材が格納部に侵入することを防止するためのウレタン材等のシール部材を挟みんだ状態で、ケースにねじ止めされる。その後、受光素子および回路基板は、ケース内に充填したポッティング材により覆われる。
【０００３】
【発明が解決しようとする課題】
しかしながら、ケースに収納部を一体成型するには、ケースのための金型の構成が複雑化し、コストの増大を招く。また、ケースへの回路基板の組み付け時にシール部材に適正な押圧力を与えた状態でシール部材を適切に組み付けるには、適切な一定の締め付けトルクを与える必要があり、シール部材の組み付け工程が煩雑化する。また、光センサの受光素子を箱状のケースに格納しパッキンなどにより防水性を確保する方式があるが、これによればパッキンなどの部品が必要となり、これらを組み付ける必要があるので製造工程が煩雑化する。
【０００４】
従って、本発明の目的は、製造工程の煩雑化を招くことなくまたケースに受光素子のための格別な収納部を形成することなくコストの削減を図ることのできる受光装置、表示装置を提供することにある。
【０００５】
【課題を解決するための手段】
本発明者等は、ポッティング材が透光性を有し、所定の厚さ以下であれば、このポッティング材でたとえ受光面を覆われても受光装置の実質的な機能低下を生じるほどに受光素子に大きな感度低下が生じないことを確認した。
【０００６】
また、本願発明は、動作確認あるいは誤動作等を点灯表示するＬＥＤのような発光素子を有する表示装置に適用できることを確認した。
【０００７】
本発明は、設備機器の動作を制御するための光信号を受光する受光素子あるいは設備機器の動作確認または誤動作を点灯表示するための発光素子を取り付けた回路基板を防水性のポッティング材で覆った受光装置または表示装置であって、前記受光素子の受光部あるいは発光素子の先端部とともにその受光素子あるいは発光素子を前記ポッティング材で覆ったことを特徴とする。
【０００８】
前記回路基板をケース内に配置するとともに前記受光部または発光素子を前記ケースの内壁面に近接して配置し、前記ケース内に前記ポッティング材を充填して前記受光素子および受光部、あるいは発光素子を覆うことができる。
【０００９】
前記ケースの内壁面と前記受光部または発光素子の先端部との間隔は２ｍｍ以下に設定される。
【００１０】
前記受光部または発光部を凸形状とし、前記内壁面に前記受光部または発光素子の先端部に対向して凹部を形成し、前記受光部または発光素子の先端部を前記凹部に挿入して配置することができる。
【００１１】
前記内壁面に、前記受光部または発光素子の先端部に向けて突出する段部を形成することができる。
【００１２】
【発明の実施の形態】
図１は、本発明に係る受光装置１０が浴室乾燥機１１に組み込まれた例を示す。浴室乾燥機１１は、この実施の形態では、換気ユニット１２と暖房ユニット（輻射暖房ユニット）１３とを備え、換気ユニット１２と暖房ユニット１３とが一体となっている。
【００１３】
換気ユニット１２は、天井に埋め込まれる筺体状の換気ケース１４を有する。換気ケース１４の下面には、浴室内の空気を吸気する吸込口（給気開口）１５と浴室内へ温風を吹き出す吹出口１６とが設けられている。吹出口１６内にはヒータＨが設けられており、吹出口１６から浴室内へ吹き出す空気をそのヒータＨによって暖めるようになっている。
【００１４】
換気ケース１４の側方には排気口１７が設けられており、排気口１７は室外に連通する。換気ケース１４内にはダンパＤが設けられており、このダンパＤは、図示しない駆動源（ダンパーモータ等）の動作に応じて、図１に示す実線位置と破線位置と鎖線位置との間で切り換え可能となっている。ダンパＤが実線位置に切り換わると吸込口１５と吹出口１４とが連通されてヒータＨの通電により暖房モードとなる。ダンパＤが破線位置に切り換わると吸込口１５と排気口１７とが連通されて換気モードとなる。また、ダンパＤが中間位置である鎖線位置に切り換わるとヒータＨの通電により乾燥モードとなり、衣類の乾燥が行えるようになっている。さらに、ヒータＨを非通電状態にすると涼風モードとして風を吹出口１６から浴室内へ吹き出すようになっている。
【００１５】
また、換気ケース１４内にはモータ１８により作動される遠心ファンＦが設けられており、この遠心ファンＦによって吸込口１５から空気を吸気し、この吸気した空気を吹出口１６から吹き出させたり、排気口１７から排気したりするようになっている。
【００１６】
暖房ユニット１３は、吸込口１５および吹出口１６に隣接するとともに天井から下方に突出する暖房ケース１９を有し、この暖房ケース１９の底面には輻射開口２０が形成されている。
【００１７】
暖房ケース１９内には、該ケース内に収容された輻射熱源となるカーボンランプ（図示せず）および送風ファン（図示せず）等が設けられている。前記送風ファンの駆動源の作動により送風ファンが回転されると、カーボンランプが点灯され、このランプからの輻射熱が送風ファンによる送風と共に放射開口２０から浴室内に適正に放出される。送風ファンからの送風量は、カーボンランプの周辺部品を冷却する程度の微風であり、入浴者に対しては、気化熱が奪われることによる肌寒さを感じさせることはない。
【００１８】
浴室乾燥機１１は、換気ユニット１２および暖房ユニット１３の各作動をリモートコントローラ２２からの赤外線信号に応じて制御するためにリモートコントローラ２２からの赤外線信号を受ける受光装置１０が設けられている。
【００１９】
受光装置１０がリモートコントローラ２２から換気ユニット１２の予備暖房モードを指示する光信号を受けると、換気ユニット１２が前記した暖房モードで作動するようにダンパＤ、モータ１８およびヒータＨの動作を制御し、また換気モードを指示する光信号を受けると、換気モードで作動するようにダンパＤ、モータ１８およびヒータＨの動作を制御する。また、換気ユニット１２の涼風モードを指示する光信号を受けると、換気ユニット１２が前記した涼風モードで作動するように、ダンパＤ、モータ１８の動作を制御する。さらに、入浴暖房モードを選択すると、カーボンランプが点灯し、輻射熱が浴室内に放出され、入浴中肌寒さを感じることを防止できる。
【００２０】
さらに、リモートコントローラ２２からの光信号により、暖房ユニット１３を動作させることにより、浴室内の予備暖房を効率的に行ない、あるいは乾燥室として機能を高めることができる。
【００２１】
このような光信号による遠隔操作のための受光装置１０は、図２に示すように、透光性を有する合成樹脂材料から成るケース２３と、該ケース内に収容される回路基板２４と、受光センサ部２５が取り付けられるセンサ用回路基板２６と、両回路基板２４、２６をケース２３内に埋め込むための防水性を有するポッティング材２７とを備える。
【００２２】
ケース２３は、換気ケース１４に組み込まれている。センサ用回路基板２６には、図２、図３に示すように、センサ部２５がそのリード端子２８で固定されている。このセンサ部２５は、リモートコントローラ２２からの光信号を電気信号に変換するためのフォトダイオードのような受光素子２９を備える。
【００２３】
センサ用回路基板２６は、これに設けられた受光素子２９の凸状の受光部２９ａがケース２３の内壁面２３ｂに所定の間隔ｔを置いてこの内壁面２３ｂに対向するように、図２に示すケース２３のボス部３０でビス３１により固定されている。受光素子２９の受光部２９ａと内壁面３０ｂとの最近接地点での間隔ｔは２ｍｍ以下となるように設定されている。
【００２４】
回路基板２４には、図示しない制御回路が組み込まれている。回路基板２４の前記制御回路は、受光センサ部２５から出力される電気信号に基づいてリモートコントローラ２２から出力されたそれぞれの光信号を判別し、この光信号に応じた作動信号を換気ユニット１２および暖房ユニット１３に供給する。この作動信号により、これら両ユニット１２および１３は前記した各動作モードに応じて適正にその動作が制御される。
【００２５】
ポッティング材２７には、透光性を有する例えば半透明のウレタン系のような熱硬化性合成樹脂材料を用いることができる。この樹脂材料は、センサ用回路基板２６とケース２３の内壁面２３ｂとの間を充填しかつ両回路基板２４、２６を埋設するようにケース２３内に注入された後、硬化される。硬化したポッティング材２７は、内部の両回路基板２４、２６、センサ用回路基板２６上の光センサ部２５およびその受光部２９ａを覆うことにより、その防水性により、これらを浴室内の湿気から保護する。
【００２６】
このポッティング材２７の封止により、ケース２３の内壁面２３ｂと受光素子２９の受光部２９ａとの間には、凸形状の受光部２９ａを覆うようにポッティング材２７が介在する。しかしながら、ケース２３の内壁面２３ｂと受光素子２９の受光部２９ａとの間隔ｔが２ｍｍ以下となるように受光素子２９をケース１５ａに近接して配置することにより、受光素子２９の受光部２９ａの中心部におけるポッティング材２７の厚さｔを２ｍｍ以下にすることができる。ポッティング材２７のこのような薄い部分では、光の吸収は僅かであり、このポッティング材２７による光吸収効果を無視することができるので、ポッティング材２７による受光素子２９への感度低下の影響を実質的に無視することができる。
【００２７】
また、ポッティング材２７の受光部２９ａを覆う部分の膜厚は薄いことから、ポッティング材２７の充填時における熱で受光部２９ａが損傷を受けることはない。
【００２８】
本発明に係る浴室乾燥機１１によれば、光源となるリモートコントローラ２２からの赤外線信号を確実に受光素子２９で受光することができ、この受光素子２９での光信号の受信により浴室乾燥機１１の動作を確実に制御することができる。この受光素子２９の受光感度を確実に保持する上で、内壁面２３ｂと受光素子２９の受光部２９ａとの間の間隔ｔは、上述したように２ｍｍ以下に設定されるが、約１ｍｍ以下とすることにより一層確実な光遠隔操作が可能となる。
【００２９】
また、受光装置１０では、受光素子２９の受光部２９ａを含む受光部品の全体がポッティング材２７で覆われるので防水機能が従来に比較して格段に向上する。しかも、従来のようなセンサ格納部をケースに一体成型する必要はなく、またウレタンのようなシール部材あるいはパッキンが不要となるので受光装置１０の製造工程が簡素化され、受光装置１０およびこの受光装置１０を備える浴室乾燥機１１のコストの削減が可能となる。さらに、カバー部材を用いて受光装置をポッティングしない従来の構成を採用しないので、このカバー部材の必要がなくなる。
【００３０】
また、本発明の受光装置１０では、センサ用回路基板２６とケース２３との間にポッティング材２７の回り込みを防止するためのシール部材を配置する必要はなく、従って、センサ用基板２６をケース２３に固定するときに、この両者間でシール部材を締め付ける必要がないことから、回路基板２６をねじ止め以外の方法で支持することができ、これにより、ねじ止め作業を不要とすることができるので、受光装置１０の製造工程の一層の簡素化を図ることができる。
【００３１】
図４に示すように、ケース２３の内壁面２３ｂに、これに対向する受光素子２９の受光部２９ａが挿入されるように凹部３２を形成してもよい。この凹部３２内に受光部２９ａが間隔をおいて収容されるように、センサ用回路基板２６を保持することにより、凸形状の受光部２９ａと凹状の内壁面２３ｂとの間隔ｔが受光部２９ａのほぼ全域にわたって均等に保持される。従って、受光部２９ａをそのほぼ全域にわたって薄い均一な厚さのポッティング材２７で覆うことができるので、受光部２９ａの中心部およびその周辺部を含む全領域についてポッティング材２７による光吸収効果の影響を抑制できる。その結果、受光部２９ａの全領域にわたって受光量を実質的に増加させることができ、受光素子２９の感度低下を最小限にとどめ、これにより受光センサ部２５に必要とされる感度を確実に保持できる。
【００３２】
また、図５に示すように、ケース２３の内壁面２３ｂに、これに対向する受光素子２９の受光部２９ａに向けて突出する平坦な突出面３３ａを有する段部３３を形成してもよい。この段部３３は、ケース２３の内壁面２３ｂと回路基板２６との間隔を変更させることなく受光部２９ａと内壁面２３ｂとの間隔ｔを小さく設定することを可能とする。従って、回路基板２６のケース２３への取り付けで、両者の配置関係の寸法変更を招くことなく、間隔ｔを必要な値に設定できる。
【００３３】
本発明は、図１に仮想線で示されるように、浴室乾燥１１のような設備機器の動作確認あるいは誤動作等を点灯表示するための表示装置１１０に適用することができる。
【００３４】
この表示装置１１０は、図６に示すように、透光性を有する合成樹脂材料から成るケース１２３と、該ケース内に収容され、発光回路部（図示せず）が取り付けられる回路基板１２６をケース１２３内に埋め込むための防水性を有するポッティング材１２７とを備える。
【００３５】
回路基板１２６上の前記発光回路部は、制御信号を受けたときに発光するＬＥＤのような発光素子１２９を備える。
【００３６】
回路基板１２６は、これに設けられた発光素子１２９の先端部１２９ａがケース１２３の内壁面１２３ｂに所定の間隔ｔを置いてこの内壁面１２３ｂに対向するように、固定されている。発光素子１２９の先端部１２９ａと内壁面１２３ｂとの最近接地点での間隔ｔは２ｍｍ以下となるように設定されている。
【００３７】
回路基板１２６には、浴室乾燥機１１の動作状態を検出し、その誤動作等を検出したときに表示信号を出力する制御回路（図示せず）が組み込まれている。回路基板１２６上の発光素子１２９は、回路基板１２６からの表示信号を受けたとき、誤動作等を表示すべく発光する。
【００３８】
透光性を有する例えば半透明のウレタン系のような熱硬化性合成樹脂材料からなるポッティング材１２７が回路基板１２６とケース１２３の内壁面１２３ｂとの間を充填しかつ回路基板１２６を埋設するようにケース１２３内に注入されて硬化されている。硬化したポッティング材１２７は、内部の回路基板１２６、発光素子１２９を覆うことにより、その防水性により、これらを浴室内の湿気から保護する。
【００３９】
このポッティング材１２７の封止により、ケース１２３の内壁面１２３ｂと発光素子１２９の先端部１２９ａとの間には、先端部１２９ａを覆うようにポッティング材１２７が介在する。
【００４０】
しかしながら、ケース１２３の内壁面１２３ｂと発光素子１２９の先端部１２９ａとの間隔ｔが２ｍｍ以下となるように設定されていることから、ポッティング材１２７の薄い部分では、光の吸収は僅かであり、このポッティング材１２７による光吸収効果を無視することができるので、発光素子１２９が発光しているか否かをポッティング材１２７およびケース１２３を通して確実に視認することができる。
【００４１】
また、ポッティング材１２７の先端部１２９ａを覆う部分の膜厚は薄いことから、ポッティング材１２７の充填時における熱で発光素子１２９の先端部１２９ａが損傷を受けることはない。
【００４２】
ケース１２３に、図７に示すように、発光素子１２９の先端部１２９ａを受ける凹所１３２を、図４に示す凹所３２と同様に形成することができる。また、図８に示すように、ケース１２３に、発光素子１２９の先端部１２９ａに対応する段部１３３ａを、図５に示す段部３３と同様に形成することができる。
【００４３】
受光装置１０を浴室乾燥機１１の受光部として、換気ユニット１２および暖房ユニット１３を有する浴室乾燥機１１に一体的に組み込み、また表示装置１１０を浴室乾燥機１１に組み込んだ例に沿って説明したが、受光装置１０および表示装置１１０を浴室乾燥機１１から離れた位置で、浴室の壁面等に設置することができる。また、受光装置１０あるいは表示装置１１０の制御回路が組み込まれた回路基板２４等を受光装置１０あるいは表示装置１１０に組み込むことなくこれらと別体にすることができる。さらに、受光装置１０あるいは表示装置１１０を浴室に設置される浴室乾燥機以外の電気設備の光遠隔操作の受光部あるいは表示部として用いることができる。また、浴室乾燥機本体を天井ではなく壁に取り付け部材を介して取り付ける形態や壁に埋め込む形態でも良く、本実施形態に限定されるものではなく、浴室乾燥機は電気式や温水式等の種々の方式に対応が可能であり、浴室乾燥機以外の他の設備機器にも対応が可能である。
【００４４】
【発明の効果】
本発明によれば、従来に比較して安価であり製造工程の煩雑化を招くことのない受光装置または表示装置が提供される。
【図面の簡単な説明】
【図１】本発明に係る受光装置が用いられた浴室乾燥機を概略的に示す断面図である。
【図２】図１に示した受光装置の概略的に示す断面図である。
【図３】図１に示した受光装置の一部を拡大して示す断面図である。
【図４】図２に示した受光装置の他の例を示す図３と同様な図面である。
【図５】図２に示した受光装置のさらに他の例を示す図３と同様な図面である。
【図６】本発明に係る表示装置の図３と同様な図面である。
【図７】本発明に係る表示装置の図４と同様な図面である。
【図８】本発明に係る表示装置の図５と同様な図面である。
【符号の説明】
１０　受光装置
１１　（浴室乾燥機）設備機器
１４、２３、１２３　ケース
２７、１２７　ポッティング材
２９　受光素子
２９ａ　受光部
３２　凹部
３３　段部
１１０　表示装置
１２９　発光素子
１２９ａ　先端部
【図１】
2004014926.tif 000003
【図２】
2004014926.tif 000004
【図３】
2004014926.tif 000005
【図４】
2004014926.tif 000006
【図５】
2004014926.tif 000007
【図６】
2004014926.tif 000008
【図７】
2004014926.tif 000009
【図８】
2004014926.tif 000010